(57)【特許請求の範囲】
【請求項１】
歯列の全ての部位に義歯がはめ込まれた総義歯イメージを表示する総義歯イメージ表示手段と、歯列のいずれの部位で歯が残存しているかを記録する残存歯記録手段と、残存歯記録手段から歯が残存する歯残存位置を読み出し、前記総義歯イメージにおける前記歯残存位置のイメージを残存歯イメージに変換する残存歯表示手段と、を備えた義歯補綴イメージ表示装置。
【請求項２】
前記残存歯記録手段が、歯が欠損しているか否かという欠損情報を二進法で表現した二値化欠損情報を所定の歯の本数（ｎ本）だけまとめて２ｎ進法化した欠損情報コードが所定の順序につながった歯列欠損情報コードを、記録している請求項１に記載の義歯補綴イメージ表示装置。
【請求項３】
前記ｎが４である、請求項２に記載の歯列欠損情報記録装置。
【請求項４】
前記欠損情報コード化手段は、上顎と下顎との各顎ごとに、最も奥の歯から４本ごとにまとめて１６進法化した欠損情報コードを生成する、請求項３に記載の歯列欠損情報記録装置。
【請求項５】
歯列の全ての部位に義歯がはめ込まれた総義歯イメージを表示する総義歯イメージ表示工程と、歯列のいずれの部位で歯が残存しているかを記録する残存歯記録部から歯が残存する歯残存位置を読み出し、前記総義歯イメージにおける前記歯残存位置の画像を残存歯イメージに変換する残存歯表示工程と、を備えた義歯補綴イメージ表示方法。
【請求項６】
歯列の全ての部位に義歯がはめ込まれた総義歯イメージを表示する総義歯イメージ表示処理と、歯列のいずれの部位で歯が残存しているかを記録する残存歯記録処理と、歯が残存する歯残存位置を読み出し、前記総義歯イメージにおける前記歯残存位置の画像を残存歯イメージに変換する残存歯表示処理と、をコンピュータに実行させるためのプログラムを記録したコンピュータによって読み取り可能な記録媒体。
【発明の詳細な説明】
【０００１】
【発明の属する技術分野】
本発明は、さまざまな形の欠損がある歯列に義歯を補綴する際のイメージデータを表現する装置等に関する。
【０００２】
【従来の技術】
歯科治療においては、欠損（いわゆる歯が抜けている状態）を治療する補綴が行われることがある。補綴には、インプラントやブリッジといった義歯を使用する治療法がある。
【０００３】
ここで、歯の欠損部位に対して義歯を製作する場合、装着後のイメージをコンピュータのディスプレイ上に表現すると、義歯の製作などに有益である。
【０００４】
【発明が解決しようとする課題】
しかしながら、歯列の欠損状態には、上顎でおよそ６５５３６症例、下顎も同数の症例があるため、およそ１３万症例あることになる。このように症例が多いのは、歯の抜ける本数が、１本、２本、３本…と多様だからである。
【０００５】
ここで、１３万症例の各々の症例に対応したイメージデータを作成しておいて表示することは、イメージデータ作成の労力が過大であり、実用的ではない。
【０００６】
そこで、本発明は、さまざまな形の欠損がある歯列に義歯を補綴する際のイメージデータを効率良く表示する装置等の提供を課題とする。
【０００７】
【課題を解決するための手段】
上記課題に鑑み、請求項１に記載の発明は、歯列の全ての部位に義歯がはめ込まれた総義歯イメージを表示する総義歯イメージ表示手段と、歯列のいずれの部位で歯が残存しているかを記録する残存歯記録手段と、残存歯記録手段から歯が残存する歯残存位置を読み出し、前記総義歯イメージにおける前記歯残存位置のイメージを残存歯イメージに変換する残存歯表示手段と、を備えるように構成される。
【０００８】
上記のように構成された義歯補綴イメージ表示装置によれば、総義歯イメージ１種類と、残存歯イメージ３２種類（歯が上顎１６本、下顎１６本）のイメージデータがあれば、あらゆる義歯補綴イメージを表示できる。よって、１３万種類のイメージパターンを作成する労力が不要であり、さまざまな形の欠損がある歯列に義歯を補綴する際のイメージデータを効率良く表示できる。
【０００９】
請求項２に記載の発明は、請求項１に記載の発明であって、残存歯記録手段が、歯が欠損しているか否かという欠損情報を二進法で表現した二値化欠損情報を所定の歯の本数（ｎ本）だけまとめて２ｎ進法化した欠損情報コードが所定の順序につながった歯列欠損情報コードを、記録しているように構成される。
【００１０】
上記のように構成された義歯補綴イメージ表示装置によれば、残存歯記録手段が、歯の欠損本数の多様性に対応した歯列欠損情報コードを記録しているため、義歯補綴イメージ表示がさらに効率良く行える。
【００１１】
請求項３に記載の発明は、請求項１に記載の発明であって、ｎが４であるものである。
【００１２】
欠損情報コードを１６進法であらわせるため、コンピュータに通常用いられる１６進法に合致し、歯列の欠損状態の電子化に適している。
【００１３】
請求項４に記載の発明は、請求項３に記載の発明であって、欠損情報コード化手段は、上顎と下顎との各顎ごとに、最も奥の歯から４本ごとにまとめて１６進法化した欠損情報コードを生成するものである。
【００１４】
上顎と下顎の双方の顎には、共に歯が１６本生えており、最も奥の歯から４本ごとにまとめて区分すれば、双方の顎が左右対称に区分される。
【００１５】
請求項５の発明は、歯列の全ての部位に義歯がはめ込まれた総義歯イメージを表示する総義歯イメージ表示工程と、歯列のいずれの部位で歯が残存しているかを記録する残存歯記録部から歯が残存する歯残存位置を読み出し、総義歯イメージにおける歯残存位置の画像を残存歯イメージに変換する残存歯表示工程と、を備えるように構成される。
【００１６】
請求項６に記載の発明は、歯列の全ての部位に義歯がはめ込まれた総義歯イメージを表示する総義歯イメージ表示処理と、歯列のいずれの部位で歯が残存しているかを記録する残存歯記録処理と、歯が残存する歯残存位置を読み出し、総義歯イメージにおける歯残存位置の画像を残存歯イメージに変換する残存歯表示処理と、をコンピュータに実行させるためのプログラムを記録したコンピュータによって読み取り可能な記録媒体である。
【００１７】
【発明の実施の形態】
以下、本発明の実施の形態を図面を参照して説明する。
【００１８】
第一の実施形態
まず、第一の実施形態の構成を説明する。第一の実施形態の義歯補綴イメージ表示装置１は、図１に示すように、総義歯イメージ表示部１０、残存歯記録部１２、残存歯表示部１４を備える。
【００１９】
総義歯イメージ表示部１０は歯列の全ての部位に義歯がはめ込まれた総義歯イメージを表示する。総義歯イメージ表示部１０は、総義歯イメージを記録しているが、それは１種類記録しておけばよい。
【００２０】
残存歯記録部１２は歯列のいずれの部位で歯が残存しているかを記録する。残存歯表示部１４は残存歯記録部１２から歯が残存する歯残存位置を読み出し、総義歯イメージにおける歯残存位置のイメージを残存歯イメージに変換し、ユーザに表示する。「変換」とは、例えば、義歯イメージに残存歯イメージを重ね合わせるようなものであってもよいし、義歯イメージを削除して残存歯イメージを表示するようなものであってもよい。残存歯表示部１４は、各部位における残存歯のイメージを記録している。歯は上顎１６本、下顎１６本はえているので、残存歯イメージは３２種類記録しておけばよい。
【００２１】
次に、第一の実施形態の動作を図２を用いて説明する。図２（ａ）は、総義歯イメージ表示部１０が表示する総義歯イメージである。なお、上顎のみを示し、下顎は図示省略してある。残存歯表示部１４は、残存歯記録部１２から歯が残存する歯残存位置を読み出す。そして、歯残存位置に対応する残存歯のイメージを図２（ｂ）のように生成する。さらに、残存歯のイメージ（図２（ｂ）参照）を、総義歯イメージ（図２（ａ）参照）を重ねることで、総義歯イメージにおける歯残存位置のイメージを残存歯イメージに変換し（図２（ｃ）参照）、ユーザに表示する。あるいは、残存歯のイメージ（図２（ｂ）参照）が存在する部位の義歯イメージを削除して、残存歯のイメージを表示する。
【００２２】
第一の実施形態によれば、総義歯イメージ１種類と、残存歯イメージ３２種類（歯が上顎１６本、下顎１６本）のイメージデータがあれば、あらゆる義歯補綴イメージを表示できる。よって、歯の欠損パターンの総数である１３万種類のイメージパターンを作成する労力が不要であり、さまざまな形の欠損がある歯列に義歯を補綴する際のイメージデータを効率良く表示できる。
【００２３】
第二の実施形態
第二の実施形態にかかる義歯補綴イメージ表示装置は、残存歯記録部１２に記録されている歯残存位置のデータが特に電子化に適したものになっているので第一の実施形態をさらに改良したものとなっている。
【００２４】
残存歯記録部１２に記録されている歯残存位置のデータの形式を図３を用いて説明する。図３（ａ）に示すように上顎を最も奥の歯から４本ずつ４区分（Ａ〜Ｄ）に分け、未欠損を１、欠損を０と置きかえる（二値化欠損情報）。なお、下顎については全く同様なので、図示省略している。そして、例えば、Ａは“００１０”、Ｂは“０００１”となる。次に、図３（ｂ）に示すように、各区分ごとに、２４＝１６進法で表記する（欠損情報コード）。なお、歯をｎ本ずつ区分した場合は、２ｎ進法で表記する。そして、区分Ａ、Ｂ、Ｃ、Ｄの順につなげて歯残存位置のデータを表記する（歯列欠損情報コード）。図３（ｂ）の例でいえば、“２１０８”となる。
【００２５】
本発明の第二の実施形態によれば、残存歯記録部１２が、歯の欠損本数の多様性に対応した歯列欠損情報コードを記録しているため、義歯補綴イメージ表示がさらに効率良く行える。しかも、欠損情報コードを１６進法であらわせるため、コンピュータに通常用いられる１６進法に合致し、歯列の欠損状態の電子化に適している。さらに、上顎と下顎の双方の顎には、共に歯が１６本生えており、最も奥の歯から４本ごとにまとめて区分すれば、双方の顎が左右対称に区分される。
【００２６】
また、上記の第一および第二実施形態は、以下のようにして実現できる。ＣＰＵ、ハードディスク、メディア（フロッピーディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、上記の機能を実現できる。
【００２７】
【発明の効果】
本発明によれば、総義歯イメージ１種類と、残存歯イメージ３２種類（歯が上顎１６本、下顎１６本）のイメージデータがあれば、あらゆる義歯補綴イメージを表示できる。よって、１３万種類のイメージパターンを作成する労力が不要であり、さまざまな形の欠損がある歯列に義歯を補綴する際のイメージデータを効率良く表示できる。
【図面の簡単な説明】
【図１】本発明の第一の実施形態にかかる義歯補綴イメージ表示装置１のブロック図である。
【図２】第一の実施形態の動作を示す図である。
【図３】第二の実施形態における残存歯記録部１２に記録されている歯残存位置のデータの形式を示す図である。
【符号の説明】
１０  総義歯イメージ表示部
１２  残存歯記録部
１４  残存歯表示部
【図１】
0003578962.tif 000002
【図２】
0003578962.tif 000003
【図３】
0003578962.tif 000004